(57)【要約】【課題】リンクプレートの製造時に、帯状鋼板など材料的に不経済にならないようにリンクプレートを形成することができ、リンクプレート歯部がスプロケット歯に着座するときの騒音を防止することができ、噛合い時、着座時には、スプロケット歯に外側フランク面に形成されたシェービング面のみが接触し、非シェービング面が接触しないようにすることができるサイレントチェーン用リンクプレートを提供することを目的とする。【解決手段】リンクプレート１は連結ピンが挿入される一対のピン孔２と、内側フランク面３及び外側フランク面４を有する一対の歯部５を有する。外側フランク面４に段差が設けてあり、段差部４ｂを境界として、歯部先端側にシェービング面となっている突出面４ａが形成されていると共に、歯部肩部側に非シェービング面となっている後退面４ｃが形成されている。【選択図】図１
2008169876.tif 000002
【特許請求の範囲】
【請求項１】
連結ピンが挿入される一対のピン孔と、内側フランク面及び外側フランク面を有する一対の歯部とを備えたサイレントチェーン用リンクプレートにおいて、
前記外側フランク面に段差が設けてあり、段差部を境界として、歯部先端側にスプロケット歯との噛合い面となる直線平坦状の突出面が形成されていると共に、歯部肩部側に内方に後退したスプロケット歯と接触しない直線平坦状の後退面が形成されていることを特徴とするサイレントチェーン用リンクプレート。
【請求項２】
前記突出面がシェービング加工されたシェービング面であると共に、前記後退面が非シェービング面であることを特徴とする請求項１記載のサイレントチェーン用リンクプレート。
【発明の詳細な説明】
【技術分野】
【０００１】
本発明は、スプロケットに巻掛けられて動力を伝達するサイレントチェーンに用いられるリンクプレート関し、詳細には、リンクプレート歯部の両外側フランク面に、スプロケット歯との噛合いに関与する突出面と噛合いに関与しない後退面とが形成されているサイレントチェーン用リンクプレートに関する。
【背景技術】
【０００２】
サイレントチェーンは、一対のピン孔と一対の歯部とを有するリンクプレートがチェーン長手方向及びチェーン幅方向に多数配置され、前記ピン孔に挿入した連結ピンにより無端状に連結して形成されている。このようなサイレントチェーンには、リンクプレートの一対の歯部の形状により種々の噛合いタイプがあり、主なものとして、いわゆる内股噛合い・外股着座タイプのサイレントチェーン、外股噛合い・外股着座タイプのサイレントチェーン等がある。
【０００３】
サイレントチェーンがスプロケット間に掛け回されて動力を伝達するとき、サイレントチェーンを構成する一つのリンクプレートの噛合い作動についてみると、前記内股噛合い・外股着座タイプのサイレントチェーンは、リンクプレートの歯部がスプロケット歯と噛合うとき、リンクプレート進行方向前方の歯部先端近傍の内側フランク面がスプロケット歯にまず接触して、内側フランク面がスプロケット歯の歯面に沿って歯底側に滑り込み、この滑り込みの途上において、内側フランク面から外側フランク面に噛合いが移行して前後の外側フランク面がスプロケット歯の歯面に沿って順に歯底側に滑り込み、リンクプレート前後の歯部がスプロケット歯に噛合って着座し、この状態において動力伝達を行う。また、前記外股噛合い・外股着座タイプのサイレントチェーンは、リンクプレート進行方向後方の歯部先端近傍の外側フランク面がスプロケット歯に接触して噛み合い始め、そのまま噛合い動作終了まで歯面に沿って接触し続け、その途上で前方の外側フランク面がスプロケット歯に接触して、リンクプレート前後の歯部がスプロケット歯に噛合って着座し、動力を伝達する。このように、サイレントチェーンはリンクプレートとスプロケットとの接触噛合いが２段階で行われるため、衝撃が少なく、騒音の発生が抑制される。そして、本発明は、内股噛合い・外股着座タイプのサイレントチェーン、外股噛合い・外股着座タイプのサイレントチェーン等に用いるリンクプレートを対象とするものである。
【０００４】
上記のような噛合いタイプのサイレントチェーン用リンクプレートとして、外側フランク面を肩部から歯部先端近傍に亘って略々直線状の平坦面とし、肩部と歯部先端との間の外側フランク面にシェービング加工したものが公知である（特許文献１参照。）。また、サイレントチェーンには動力伝達中に張力が掛かるため、外側フランク面を略々直線状の平坦面としたリンクプレートは、ピン孔と外側フランク面とが最短距離になるピン孔近傍においてクラック、破断が生じる恐れがあり、このようなことを避けるために、従来、図３に示すように、リンクプレート１１のピン孔１２と外側フランク面１３とが最短距離になる領域の外側フランク面１３を凸状湾曲の突出部１３ａとしたものが提案されている（特許文献２参照。）。
【特許文献１】特開平９−２１７７９６号公報
【特許文献２】特許第３４７００３６号公報
【発明の開示】
【発明が解決しようとする課題】
【０００５】
前記特許文献１に開示されているリンクプレートは、外側フランク面が肩部から歯部先端近傍に亘って略々直線状の平坦面となっており、また、前記特許文献２に開示されているリンクプレート１１は、ピン孔１２と外側フランク面１３とが最短距離になる領域の外側フランク面が突出部１３ａとなっている。しかし、サイレントチェーンがスプロケットに巻掛けられて動力を伝達するとき、前記両リンクプレートとも、リンクプレート歯部の肩部近傍の外側フランク面はスプロケット歯と一度も接触せず噛合いに関与していない。
【０００６】
一般に、リンクプレートは帯状鋼板から打抜き金型で打抜いて形成され、残余の鋼鉄材料は再利用されている。ところで、前記特許文献１，２に開示されているリンクプレートは、噛合いに関与しない肩部近傍の外側フランク面までリンクプレートの一部として形成されているので、近年鉄鋼材料が高騰している時節柄、材料的に不経済になる、という問題がある。
【０００７】
特許文献１に開示されているリンクプレートは、外側フランク面にシェービング加工が施されているが、シェービング加工を施す場合、シェービング金型精度や材料ロットの違いでシェービング面が内方にずれることがある。そうするとシェービング面と非シェービング面との境界面に段差部が生じることが往々にしてあり、その結果、リンクプレートの歯部がスプロケット歯に着座する時に段差部がスプロケット歯にぶつかり騒音が発生する、という問題がある。また、特許文献２に開示されているリンクプレート１１は、ピン孔１２近傍の外側フランク面１３が突出部１３ａとなって段差部１３ｂがあることにより、あるいは使用中噛合い面が摩耗すると段差部１３ｂが顕著になることにより、リンクプレート１１の歯部がスプロケット歯に着座する時に段差部１３ｂがスプロケット歯にぶつかり、騒音が発生する、という問題がある。
【０００８】
そこで、本発明は、従来技術における問題を解決し、リンクプレートの製造時に、帯状鋼板など材料的に不経済にならないようにリンクプレートを形成することができ、リンクプレート歯部がスプロケット歯に噛み合って着座するときに発生する騒音を防止することができ、しかも、リンクプレート歯部とスプロケット歯との噛合い時及び着座時に外側フランク面に形成されたシェービング面のみが接触し、非シェービング面が接触しないようにすることができるサイレントチェーン用リンクプレートを提供することを目的とする。
【課題を解決するための手段】
【０００９】
請求項１に係る本発明は、連結ピンが挿入される一対のピン孔と、内側フランク面及び外側フランク面を有する一対の歯部とを備えたサイレントチェーン用リンクプレートにおいて、前記外側フランク面に段差が設けてあり、段差部を境界として、歯部先端側にスプロケット歯との噛合い面となる直線平坦状の突出面が形成されていると共に、歯部肩部側に内方に後退したスプロケット歯と接触しない直線平坦状の後退面が形成されているサイレントチェーン用リンクプレート、という構成により前記課題を解決したものである。
【００１０】
請求項２に係る本発明は、前記請求項１に係る本発明のサイレントチェーン用リンクプレートにおいて、前記突出面がシェービング加工されたシェービング面であると共に、前記後退面が非シェービング面であること、という構成としたものである。
【００１１】
なお、ここでいう「シェービング加工」とは、帯状鋼板から打抜き金型で打抜いた外郭より僅かに大きなシェービング工具を用いて、例えば、リンクプレートの外側フランク面突出面の打抜き時に生じた租面やダレを切削することにより、剪断面率、租面粗さを向上させる加工をいい、また、シェービング加工された面をシェービング面という。
【発明の効果】
【００１２】
請求項１に係る本発明によれば、リンクプレートの歯部の外側フランク面に段差が設けてあり、段差部を境界として、歯部先端側にスプロケット歯との噛合い面となる直線平坦状の突出面が形成されていると共に、歯部肩部側に内方に後退したスプロケット歯と接触しない直線平坦状の後退面が形成されているので、リンクプレートの製造時に、帯状鋼板からスプロケット歯との噛合いに関与しない部分が除去されてリンクプレートが形成されるため、鋼鉄材料を無駄に使用することなく経済的にリンクプレートを形成することができる。
【００１３】
また、リンクプレートは、外側フランク面の歯部先端側がスプロケット歯との噛合い面となる直線平坦状の突出面に形成されていると共に、歯部肩部側が内方に後退したスプロケット歯と接触しない直線平坦状の後退面に形成されているので、着座時に肩部がスプロケット歯に当たらないため、着座時における騒音を防止することができる。
【００１４】
請求項２に係る本発明によれば、噛合い面となる突出面がシェービング加工されたシェービング面であると共に、後退面が非シェービング面であるから、リンクプレートがシェービング面である突出面と非シェービング面である後退面との境界部のところで位置ずれして形成されていても、非シェービング面がスプロケット歯に当たることはなく、常に噛合い面であるシェービング面がスプロケット歯に接触するため、噛合い面が安定し、噛合い精度、歯部の疲労強度、スプロケット歯の摩耗、騒音等の動的性能を高いレベルで維持することができる。さらに、シェービング加工が突出面にのみ施されるので、打抜き金型整備時に厳しい精度に組み付ける作業を省くことができ、鋼鉄材料の違い、金型製作精度による位置ずれにも対応可能であるため、ロットや製作精度管理の手間を省くことができる。
【発明を実施するための最良の形態】
【００１５】
本発明の実施例を図１、図２を参照して説明する。サイレントチェーン用リンクプレート１は、連結ピン（図示略）が挿入される一対のピン孔２，２と、内側フランク面３，３及び外側フランク面４，４を有する一対の歯部５，５と、背面６と、肩部７とを備えている。なお、この肩部７は、外側フランク面４の後退面４ｃと背面６との間に湾曲面として形成されている。
【００１６】
外側フランク面４には段差Ｍが設けてあり、段差部４ｂを境界として、歯部先端５ａ側にスプロケット歯８との噛合面となる直線平坦状の突出面４ａが形成されている。また、歯部肩部７側に内方、すなわちピン孔２側に後退したスプロケット歯８と接触しない直線平坦状の後退面４ｃが形成されている。図１に示すように、突出面４ａと後退面４ｃとは平行で、ピン孔２との平行距離をＡ、Ｂとすると、段差Ｍ＝Ａ−Ｂ、Ａ＞Ｂの関係にある。
【００１７】
リンクプレートは、一般に行われているように、帯状鋼板からプレス成形されるが、スプロケット歯と接触する外側フランク面にはシェービング加工をするため、肩部とは別工程で打ち抜かれて製造される。このようにして形成されたリンクプレート（図示略）は、図１に示すシェービング加工されたリンクプレート１と外郭形状は同じであり、外側フランク面に段差があり、段差部を境界として、歯部先端側にスプロケット歯との噛合い面となる直線平坦状の突出面が形成されていると共に、歯部肩部側に内方に後退したスプロケット歯と接触しない直線平坦状の後退面が形成されている（図１参照）。そして、サイレントチェーンは、ガイド列、非ガイド列（関節列）に該リンクプレートを多数配置して連結ピンにより無端状に連結されて形成される。
【００１８】
また、外側フランク面の突出面をシェービング加工されたシェービング面とするときは、帯状鋼板にピン孔抜き、背面の外側部分を打抜く背面抜き、内側フランクの外側部分を打抜く内側フランク抜き、外側フランクの外側部分を打抜く外側フランク抜きの順で、帯状鋼板から外れないように適宜部分的に一部を残すと共に、肩部を残して打抜き、次いで外側フランクの突出面をシェービング工具によりシェービング加工し、その後、一部抜き残した部分及び肩部を打抜いて帯状鋼板から切り離す。このようにして形成されたリンクプレート１が図１に示されている。そして、サイレントチェーンは、ガイド列、非ガイド列（関節列）にリンクプレート１を多数配置して連結ピンにより無端状に連結されて形成される。
【００１９】
サイレントチェーンがスプロケットに巻き付いて動力を伝達する時、前述したように、内股噛合い・外股着座タイプのサイレントチェーン、あるいは外股噛合い・外股着座タイプのサイレントチェーンは、リンクプレート１の歯部５，５前後の外側フランク面４，４のシェービング加工された突出面４ａ，４ａがスプロケット歯８に接触し、リンクプレート１の歯部５，５がスプロケット歯８に噛み合って安定して着座する。この着座状態が図２に示されている。
【００２０】
以上、サイレントチェーン用リンクプレートの構成について説明したが、その作用効果を以下説明する。まず、鋼鉄材料の面からみると、帯状鋼板からスプロケット歯との噛合いに関与しない不要部分、すなわち外側フランク面４の後退面４ｃの外側部分が除去されてリンクプレートが形成されるため、再利用可能な鋼鉄材料を無駄に使用することなく経済的にリンクプレートを形成することができる。
【００２１】
外側フランク面の突出面にシェービング加工が施されていないリンクプレート（請求項１のもの、図示略）の場合は、歯部先端側がスプロケット歯８との噛合い面となる直線平坦状の突出面（４ａ相当部分）に形成されていると共に、歯部肩部側が内方に後退したスプロケット歯８と接触しない直線平坦状の後退面（４ｃ相当部分）に形成されているので、リンクプレートの歯部がスプロケット歯に噛合って着座するときにスプロケット歯８にぶつかる部分がないため、着座時における騒音を防止することができる。
【００２２】
また、外側フランク面４の突出面４ａがシェービング加工されたシェービング面であると共に、後退面４ｃが非シェービング面であるリンクプレート１は、シェービング面である突出面４ａと非シェービング面である後退面４ｃとの境界部（段差部）が位置ずれしていても、非シェービング面がスプロケット歯８に当たることはなく、常に噛合い面であるシェービング面がスプロケット歯８に接触するため、噛合い面が安定し、噛合い精度、歯部の疲労強度、スプロケット歯の摩耗、騒音等の動的性能を高いレベルで維持することができる。さらに、シェービング加工が突出面４ａにのみ施されるので、リンクプレート自体の打抜き金型整備時に厳しい精度に組み付ける作業を省くことができ、また、鋼鉄材料の違い、金型製作精度による位置ずれにも対応可能であるため、ロットや製作精度管理の手間を省くことができる。
【図面の簡単な説明】
【００２３】
【図１】本発明実施例の突出部がシェービング加工されたサイレントチェーン用リンクプレートの正面図である。
【図２】スプロケット歯にリンクプレートの歯部が噛み合って着座した状態の説明図である。
【図３】従来のサイレントチェーン用リンクプレートの正面図である。
【符号の説明】
【００２４】
１      リンクプレート
２      ピン孔
３      内側フランク面
４      外側フランク面
４ａ    突出面
４ｂ    段差部
４ｃ    後退面
５      歯部
５ａ    歯部先端
６      背面
７      肩部
８      スプロケット歯
Ｍ      段差
【図１】
2008169876.tif 000003
【図２】
2008169876.tif 000004
【図３】
2008169876.tif 000005